(57)【要約】【課題】  給送中にフィルムロックが起きたとしてもギアを破損させることなく、騒音の発生をも抑制した給送機構を備えたカメラを提供すること.【解決手段】  ＣＰＵは、装填されたケースから写真フィルムを引き出す巻上時において、給送モータに所定の第１の電力を供給して給送モータに写真フィルムの巻上げを行なわさせるとともに、写真フィルムの巻上げ終了に至る、ケース内の残りの最終の部分のみ、給送モータに第１の電力よりも低い所定の第２の電力を供給して給送モータに写真フィルムの巻上げを行なわさせる。フィルムロックが起こり易い、写真フィルムの巻上げ終了に至る、ケース内の残りの最終の部分で電力を下げて給送を行なわせることで、給送速度を抑制しギアトレインのギア同士の負荷を軽減する。またギアの材質を柔らかいものに変更して騒音の発生を抑制する。【選択図】  図７
2005274974.tif 000002
【特許請求の範囲】
【請求項１】
写真フィルムがロール状に巻回されて収容されたケースが装填され、該ケースから引き出された写真フィルム上に写真撮影を行なうカメラにおいて、
前記写真フィルムを給送する給送モータと、
装填されたケースから写真フィルムを引き出す巻上時において、前記給送モータに所定の第１の電力を供給して該給送モータに該写真フィルムの巻上げを行なわさせるとともに、該写真フィルムの巻上げ終了に至る、該ケース内の残りの最終の部分のみ、該給送モータに前記第１の電力よりも低い所定の第２の電力を供給して該給送モータに該写真フィルムの巻上げを行なわさせる給送制御部とを備えたことを特徴とするカメラ。
【請求項２】
前記ケースには、撮影可能枚数が記されており、このカメラは装填されたケースから該ケース内の撮影可能枚数を読み取る手段を有するものであって、
前記給送制御部は、巻上時における、前記給送モータへの供給電力を前記第１の電力から前記第２の電力に切り替えるタイミングを、前記ケースから読み取った撮影可能枚数に基づいて決定するものであることを特徴とする請求項１記載のカメラ。
【請求項３】
写真フィルムがロール状に巻回されて収容されたケースが装填され、該ケースから写真フィルムを一コマ分ずつ引き出しながら該写真フィルム上に写真撮影を行なうカメラにおいて、
前記写真フィルムを給送する給送モータと、
装填されたケースから写真フィルムを一コマ分引き出す巻上時において、前記給送モータに所定の第１の電力を供給して該給送モータに該写真フィルムの一コマ分の巻上げを開始させるとともに、該一コマ分の巻上げの開始後に前記給送モータに供給する電力を前記第１の電力よりも低い所定の第２の電力に切り換えて該一コマ分の巻上げを続行させる給送制御部とを備えたことを特徴とするカメラ。
【請求項４】
前記給送制御手段は、前記給送モータに直流的な電力を供給することにより該給送モータに前記第１の電力を供給するとともに、該給送モータにパルス状の電力を供給することにより該給送モータに前記第２の電力を供給するものであることを特徴とする請求項１又は３記載のカメラ。
【発明の詳細な説明】
【技術分野】
【０００１】
本発明は、ロール状の写真フィルムが収容されたケースが装填され、そのケースから写真フィルムを一コマずつ引き出しながら写真撮影を行なうカメラに関する。
【背景技術】
【０００２】
長手方向に沿ってパーフォレーションが穿設された写真フィルムがロール状に巻回されて収容されたケースがカメラ内部のフィルム装填室に装填され、そのケースから引き出された写真フィルム上に写真撮影を行なうカメラがある。このようなカメラでは写真フィルムを給送モータにより一コマずつ撮影面に給送して撮影が行なわれる。撮影が行なわれた後、給送モータにより巻上げが行われ、撮影面に次の撮影コマがセットされる。
【０００３】
この給送モータにより巻上げを行なうときにはスプールとともにケース側の巻軸も回転させ、写真フィルムがケースから引き出される。このケース側の巻軸を給送モータの回転に同期させて回転させるためにギアトレインが良く用いられている。このギアトレインによってスプール側の回転にあった回転をケースの巻軸に伝え、写真フィルムの巻上げが行なわれる。
【０００４】
しかし、給送モータとギアトレインにより写真フィルムの巻上げを行なうと、ギアの噛み合いやモータの振動などにより騒音が発生するという問題がある。
【０００５】
このような騒音を低減させるために、給送モータおよびギアトレインを支持する部分に工夫を凝らし、緩衝用の弾性部材を設けてモータの振動を抑制したものがある（例えば、特許文献１参照）。しかし、特許文献１のものでは、ギアトレインを構成するギア同士の噛み合いによる騒音は依然として残ってしまう。
【０００６】
そこでこのギアの噛み合いによる騒音を、消音ギアを用いて低減する技術が開示されている（例えば特許文献２参照）。
【０００７】
しかし、この特許文献２のものでは、ギアに孔を開けて消音作用を持たせているため強度的に難があり、フィルムロックが起きたときに写真フィルムによりギアなどに過度の衝撃が加えられるとギアが破損してしまうことがある。
【０００８】
これを防止するためにギアに所定の強度を持たせようとすると、今度は騒音が大きくなってしまう。
【特許文献１】特許第３１２３１１５号公報
【特許文献２】特許第３２３５３７６号公報
【発明の開示】
【発明が解決しようとする課題】
【０００９】
本発明は、上記事情に鑑み、給送中にフィルムロックが起きたとしてもギアを破損させることなく、また騒音の発生をも抑制した給送機構を備えたカメラを提供することを目的とする。
【課題を解決するための手段】
【００１０】
上記目的を達成する本発明の第１のカメラは、写真フィルムがロール状に巻回されて収容されたケースが装填され、そのケースから引き出された写真フィルムに写真撮影を行なうカメラにおいて、
上記写真フィルムを給送する給送モータと、
装填されたケースから写真フィルムを引き出す巻上時において、上記駆動給送モータに所定の第１の電力を供給してその給送モータにその写真フィルムの巻上げを行なわさせるとともに、その写真フィルムの巻上げ終了に至る、そのケース内の残りの最終の部分のみ、その給送モータに上記第１の電力よりも低い所定の第２の電力を供給してその給送モータにその写真フィルムの巻上げを行なわさせる給送制御部とを備えたことを特徴とする。
【００１１】
上記本発明のカメラによれば、写真フィルムの巻上げ終了に至る、そのケース内の残りの最終の部分のみ、上記給送モータに上記所定の第１の電力よりも低い上記第２の電力を供給してゆっくりと巻上げが行なわれる。そうすると、最もフィルムロックが起こり易い上記ケース内の残りの最終の部分で給送速度が緩められ、ゆっくりと写真フィルムの巻き上げが行なわれる。そうするとフィルムロックが起きたとしてもいままでに比べ、写真フィルムによってギアに加えられる衝撃が緩和されてギアが破損したりすることがなくなる。このようにフィルムロック時に写真フィルムによるギアへの衝撃が緩和されることを活用してギアの材質を柔らかい材質のものに変更することで、消音ギアを使用せずともギアの噛み合いによる騒音の発生を抑制することができる。
【００１２】
ここで、上記ケースには、撮影可能枚数が記されており、このカメラは装填されたケースからそのケース内の撮影可能枚数を読み取る手段を有するものであって、
上記給送制御部は、巻上時における、上記給送モータへの供給電力を上記第１の電力から上記第２の電力に切り換えるタイミングを、上記ケースから読み取った撮影可能枚数に基づいて決定するものであることが好ましい。
【００１３】
このようにケースから読み取った撮影可能枚数に基づいてタイミングを決定することで、そのケース内にある写真フィルムが何枚撮りであっても、上記給送制御部により上記写真フィルムの巻上げ終了に至る、そのケース内の残りの最終の部分で上記所定の第１の電力よりも低い上記所定の第２の電力が上記給送モータに供給される。
【００１４】
また、上記給送制御部により、一コマ分の写真フィルムを給送し、写真フィルムの撮影コマを撮影面にセットするときにフィルムロックが起こり写真フィルムによってギアに衝撃が加えられることもある。
【００１５】
そこで、上記目的を達成する本発明の第２のカメラは、ロール状の写真フィルムが収容されたケースが装填され、そのケースから写真フィルムを一コマ分づつ引き出しながらその写真フィルム上に写真撮影を行なうカメラにおいて、
上記写真フィルムを給送する給送モータと、
装填されたケースから写真フィルムを一コマ分引き出す巻上時において、上記給送モータに所定の第１の電力を供給してその給送モータにその写真フィルムの一コマ分の巻上げを開始させるとともに、その一コマ分の巻上げの開始後に上記給送モータに上記第１の電力よりも低い所定の第２の電力を供給してその給送モータに一コマ分の写真フィルムの巻上げを行なわさせる給送制御部とを備えたことを特徴とする。
【００１６】
上記本発明の第２のカメラによれば、初期には相応の電力が供給され、給送を開始させ、さらに給送を続行させるときには電力を下げて緩やかに一コマ分の給送が行なわれ、写真フィルムを撮影面にセットするときにギアに加えられる衝撃が緩和される。
【００１７】
このように一コマ分の給送を行なって、写真フィルムを撮影面にセットするとき、つまり給送モータを停止させたときにギア同士に加えられる衝撃および写真フィルムによって加えられる衝撃双方が緩和されると、ギアが破損する恐れがほぼなくなる。さらにギアへの衝撃が緩和されたことを活用してギアを柔らかい材質のものに変更することで騒音の発生を抑制することができる。
【００１８】
ここで、上記給送制御手段は、上記給送モータに直流的な電力を供給することによりその給送モータに上記第１の電力を供給するとともに、その給送モータにパルス状の電力を供給することによりその給送モータに上記第２の電力を供給するものであることが好ましい。
【００１９】
このように上記給送制御手段はパルス状の電力を供給することで簡単に上記第２の電力を得ることができる。
【発明の効果】
【００２０】
以上説明したように、給送中にフィルムロックが起きたとしてもギアを破損させることなく、給送中の騒音の発生をも抑制した給送機構を備えたカメラを提供することができる。
【発明を実施するための最良の形態】
【００２１】
以下、本発明の実施形態を、図１を参照して説明する。
【００２２】
本実施形態のカメラはカメラの背面に開閉自在な裏蓋を備えている。
【００２３】
図１（ａ）は、その裏蓋を取り外し、カメラ背面側からカメラ内部を見た図である。
【００２４】
図１（ａ）にはフィルム装填室１ａに装填されたケースここではパトローネ１０１から写真フィルム１０２が引き出された状態が示されている。パトローネ内には長手方向に沿ってパーフォレーション１０３が穿設されたロール状の写真フィルム１０２が巻回されて収容されており、そのパトローネ１０１から引き出された写真フィルム１０２がカメラ内部に配備される。そのパトローネ１０１から引き出されたロール状の写真フィルム１０２上に写真撮影が行なわれる。このカメラ１はフィルム装填室１ａに装填されたパトローネ１０１からパトローネ１０１内の撮影可能枚数を読み取る手段を有しており、その手段としてＤＸコードの読取用の接点１０１１が配備されている。このＤＸ接点１０１１を介してパトローネ１０１に記載されているＤＸコードが後述するＣＰＵにより読み取られる。
【００２５】
また、パーフォレーション１０３が通過する位置にはパーフォレーションのカウント用のセンサとしてフォトリフレクタ１１が設けられている。
【００２６】
なお図１（ａ）には、そのロール状の写真フィルム１０２が収容されたパトローネ１０１が装填されるフィルム装填室１ａとそのケースから引き出された写真フィルムを巻き上げるスプール１ｂ側の配置やファインダ１ｃなどの配置も図示されている。
【００２７】
また、図１（ｂ）には、フィルム装填室１ａに装填されたロール状の写真フィルム１０２の巻上げを行なう機構となる給送モータ１１０３とギアトレイン１２が示されている。
【００２８】
図１（ｂ）に示すように給送モータ１１０３のギアヘッドにギアトレイン１２が連結されており、給送モータ１１０３の回転を、ギアトレイン１２を介してパトローネ１０１側の巻軸１０１２に伝え、巻上げあるいは巻き戻しが行なわれる。このギアトレイン１２のうち、給送モータ１１０３のギアヘッドに噛み合う初段のギア１２Ａのみ強度的に柔らかな材質のものになっている。このようにすると給送中の騒音が低減される。
【００２９】
図２は巻上げ、巻き戻しのときのギアトレインの配列を示す図である。
【００３０】
このギアトレイン１２の中には遊星クラッチが配備されており、その遊星クラッチ１２１の遊星ギアがスプール側の外縁部にあるギア１２２（Ａ側）あるいはパトローネ側に回転を伝えるギア１２３（Ｂ側）のいずれかに噛合することによって巻上げあるいは巻き戻しが行なわれる。撮影時には給送モータが正回転し、遊星クラッチ１２１の遊星ギアがスプール外縁側のギア１２２（Ａ側）に噛合することにより、写真フィルム１０２がスプール側に巻き上げられる。
【００３１】
また、撮影を終了して巻き戻しを行なう時には、給送モータ１０３０が逆回転し、遊星クラッチ１２１の遊星ギアがギア１２３（Ｂ側）に噛合することにより給送モータ１１０３の回転がパトローネの巻軸１０１１まで伝えられ、写真フィルム１０２がパトローネ内に巻き戻される。
【００３２】
図３はその遊星クラッチの切替や給送モータ１１０３の回転を制御するための信号処理部の構成を示す図である。
【００３３】
この図３を参照してカメラの動作を説明する。
【００３４】
図３に示すように、信号処理部内にはこのカメラ１の動作を統括的に制御するＣＰＵ１１０が配備されている。
【００３５】
そのＣＰＵ１１０でこのカメラの動作を制御するに当たり、ＣＰＵ１１０はバッテリ１１１に必要な電力が残っているかどうかのチェックを検出回路１１２に行なわせている。このチェックによりバッテリ１１１の残量が少ないことをＣＰＵ１１０で検出した場合には、ＣＰＵ１１０はＬＣＤ１１２の表示パネル上に警告メッセージを表示し、このカメラ１の使用に制限を加える。なお本実施形態のＣＰＵ１１０はバッテリ１１１の電源電圧ではなく、バッテリ１１１の電圧とは異なる電圧で動作するものであるので、ＤＣ／ＤＣコンバータ１１１ａにより電源電圧を異なる電圧に変換してＣＰＵ１１０に供給している。
【００３６】
カメラ１として動作するためのバッテリ１１１の容量が検出回路でチェックされバッテリ１１１の容量が確保されていることがＣＰＵ１１０により確認されたらＣＰＵ１１０はカメラの撮影動作に必要な処理を開始する。
【００３７】
このカメラで撮影を行なおうとして、パトローネ１０１がフィルム装填室１ｂに装填されたらまずパトローネ１０１のＤＸコードがＤＸ接点部１１４を介してＣＰＵ１１０に入力される。このＣＰＵ１１０に入力されたＤＸコードをＣＰＵ１１０はＲＡＭ１１０ｂ内に記憶しておき、カメラ動作の処理を行なう際、そのＤＸコードが必要なときには随時ＲＡＭ１１０ｂからその記憶したＤＸコードを読み出し使用する。
【００３８】
カメラ内のフィルム装填室１ｂにパトローネ１０１が装填されたら、ＣＰＵ１１０は撮影を行なえるように写真フィルムの撮影コマを給送し、いつでも撮影を行なえるように準備を行なう。
【００３９】
撮影の準備が整えられたら、レリーズ釦１１７が押下されて撮影が行なわれる。この撮影が行なわれるときに撮影に必要な被写体距離情報や被写界輝度情報を得るための測距部１１５と測光部１１６もこのＣＰＵ１１０により制御されており、ＣＰＵ１１０はレリーズ操作に応じて測距部１１５に測距を、測光部１１６に測光を行なわせた後、シャッタを駆動して露出を行なわせている。またＣＰＵは、測距部１１５での測距結果に応じてはレンズ鏡胴を繰出し撮影レンズを合焦点に配置し、測光部１１６の測定結果に応じては、このカメラが備えるプログラムシャッタのシャッタ速度と絞りの組み合わせを決めている。そしてレリーズ釦が押し切られたら、そのシャッタ速度と絞りの組み合わせに応じた開放速度と開放時間で絞り兼用のシャッタを開閉させている。
【００４０】
この測距部１１５による測距や測光部１１６による測光はレリーズ操作ごとに行なわれており、ＣＰＵ１１０にレリーズ操作が開始されたことが認識されると測光、測距といった一連の処理が行なわれる。
【００４１】
本実施形態のＣＰＵ１１０の内部にはこのカメラ動作の処理手順が記されたプログラムが格納されたＲＯＭ１１０ａが内蔵されており、このＲＯＭ１１０ａ内のプログラムの処理手順にしたがってこのカメラの動作がすべて制御される。このＣＰＵ１１０には作業領域としてＲＡＭ１１０ｂも配備されており、このＲＡＭ１１０ｂに処理用のフラグやＤＸコードといったデータなどが記憶され、そのフラグやデータの内容に応じた処理が適宜行なわれる。さらに電源がオフされたときにＲＡＭ１１０ｂの内容を一旦退避させたり、その退避した記憶内容をＲＡＭ１１０ｂに読み出したりするためのＥＥＰＲＯＭ１１０ｃも配備されている。
【００４２】
また、このカメラにはレリーズ操作に応じてレンズ鏡胴を繰出したり、シャッタを開閉させるたりするため、シャッタ羽根を駆動するアイリスモータ（Ｉ．Ｍ）１１０１やレンズ鏡胴モータ（Ｌ．Ｍ）１１０２が配備されている。またレリーズ後に次の撮影に備えて写真フィルムを給送するための給送モータ（Ｆ．Ｍ）１１０３も配備されている。これらのモータの動作はすべてＣＰＵ１１０により制御され、ＣＰＵ１１０からドライバ１１００へ指示を与えてモータがそれぞれドライバ１１００により駆動される。なお、図２にはそれらのモータに対応する略語をそれぞれ示してある。また遊星クラッチの切替を行なう信号も遊星クラッチ側に供給されており、撮影が終了して巻き戻しを行なうときにはＣＰＵ１１０から切替信号が供給され、遊星クラッチが図２（ｂ）に示すＢ側に切り替えられ、さらに逆回転の指示がドライバに出され、巻き戻しが行なわれる。このＣＰＵ１１０とドライバ１１００とが本発明にいう給送制御手段に当たる。このＣＰＵ１１０とドライバ１１００からなる給送制御手段は、給送モータ１１０３に直流的な電力を供給することにより給送モータ１１０３に第１の電力を供給するとともに、給送モータにパルス状の電力を供給することにより給送モータに第２の電力を供給するものである。
【００４３】
また、これらのモータ１１０１〜１１０３の動作が正しく行なわれたかどうかをチェックするために動作チェック用のセンサが多数設けられており、そのセンサの中にはレンズ鏡胴の位置を検出するセンサやシャッタの開閉を検出するセンサや図１（ａ）に示したパーフォレーションカウント用のフォトリフレクタ１１などがある。
【００４４】
図４を参照して信号処理部内のＣＰＵ１１０でどのような処理が行なわれるかを説明する。
【００４５】
本実施形態のカメラはパトローネから一コマずつ巻上げながら撮影を行なうカメラであって、上記給送制御部が撮影可能枚数になったときに給送モータに第２の電力を供給するものである。
【００４６】
以下、このカメラの巻上げ動作をフローチャートを参照して説明する。
【００４７】
まず、巻上げ処理を行なう前のレリーズ処理を説明する。
【００４８】
図４はＣＰＵ１１０がＲＯＭ１１０ａ内のプログラムの処理手順にしたがって行なう処理のうち、レリーズ時の処理手順を示すフローチャートである。このフローの処理はレリーズ釦１１７が押下され始めた時点でレリーズの開始を知らせる信号がＣＰＵ１１０に供給されたときに始まる。
【００４９】
ステップ４０１ではレリーズ処理を行なうに当たり、まずバッテリの容量が充分であるかどうかを検出部１１２からの検出信号に基づいてチェックする。ステップＳ４０２でバッテリに充分な容量があると判定した場合には、Ｎｏ側へ進み、ステップＳ４０３でＤＸ接点を介してＤＸコードの読み込みを行なう。次のステップＳ４０４で測光部１１６に測光を行なわせ、続いてステップＳ４０５測距部１１５に測距を行なわせる。ステップＳ４０６で、測距部１１５の測定結果に応じた合焦点位置に撮影レンズを配置するようにドライバに指示を与えてレンズ鏡胴モータによりレンズ鏡胴を繰り出し、レンズ鏡胴内の撮影レンズを合焦点位置に配置する。ステップＳ４０７でレリーズ釦が押し切られ、そのレリーズ信号ＳＰ１がＣＰＵ１１０に供給されたら、次のステップＳ４０８で露出処理を行なう。この露出処理が完了したら、ステップＳ４０９でドライバに指示を与えて、レンズ鏡胴をレンズ鏡胴モータによりホームポジションに戻し待機させ、さらに次のステップＳ４１０でフィルムモータに指示を出し、次の撮影に備えて写真フィルムを一コマ給送する。この写真フィルムを給送するときにはパーフォレーションの数がセンサによりカウントされ、撮影面に写真フィルムの撮影コマがセットされる。
【００５０】
次のステップＳ４１１では、レリーズ釦が押し切られたままだったらＹｅｓ側に進み繰り返しステップＳ４１１の処理を行い、レリーズ釦が押し切られる前の元の位置に復帰していたら、Ｎｏ側に進みこのレリーズ処理を終える。
【００５１】
ここでステップＳ４１０の処理を取り上げ、ＣＰＵ１１０が行なう巻上げ処理を詳細に説明する。
【００５２】
図５はその巻上げ処理の詳細を示すフローチャートである。
【００５３】
ステップＳ５０１でパーフォレーションのカウントを行なう準備としてカウンタを０にリセットする。図中には一コマ分の給送を行なうためにカウントされるパーフォーレションのカウント値をリセットするので、送りパーフォ＝０と記載してある。ステップＳ５０２で写真フィルムの中の撮影コマ数のカウント値とＲＡＭから読み出したＤＸコードに基づく撮影可能枚数とを比較する。ここでは、巻上時における、給送モータへの供給電力を第１の電力から第２の電力に切り替えるタイミングをそのパトローネから読み取った撮影可能枚数になったかどうかで決定している。
【００５４】
ここで撮影コマのコマ数が撮影可能枚数になっていたら、Ｙｅｓ側に進み、ステップＳ５１０で第２の電力を給送モータ１１０３に供給することに相当するパルス状の電力を給送モータ１１０３に供給する。このパルス状の電力供給を給送モータに行なうことを、フロー中にはモータ通電パルスと記載してある。このパルス状の電力を給送モータ１１０３に供給することでゆっくりと給送を行なわせる。したがってここでフィルムロックが起きたとしても写真フィルムによってギアトレイン１２の各ギアに加えられる衝撃が緩和される。
【００５５】
ここで撮影コマのコマ数がまだ撮影可能枚数に至っていなかったらＮｏ側に進み、ステップＳ５０３で第１の電力を給送モータに供給することに相当する直流的な電力を給送モータ１１０３に供給する。この第１の電力を給送モータに１１０３供給するため直流的な電力を給送モータに供給することを、フロー中にはモータ通電（ＤＣ）と記載してある。
【００５６】
ここではまだ給送を開始したばかりとして、給送モータ１１０３に直流信号を供給して写真フィルムの給送を開始する。前述したようにギアにいままでの材質に比べて柔らかい材質のものを使用しているため、静かに写真フィルムの給送が行なわれる。
【００５７】
次のステップＳ５０４でパーフォレーションのカウントを開始する。次のステップＳ５０５でタイムオーバが起こったらＹｅｓ側に進み、モータの通電を停止して巻き戻し処理を開始するが、ここではまだ給送を開始したばかりでタイムオーバが起こらないものとして、次のステップＳ５０６でパーフォレーションの数が８に達したかどうかを判定する。ここで写真フィルムの一コマ分のパーフォレーション数である８に達していなかったらＮｏ側に進みステップＳ５０４に戻って、ステップＳ５０４〜ステップＳ５０６までの処理を繰り返し行なう。
【００５８】
そしてステップＳ５０６で一コマ分のパーフォレーション数である８に達し、撮影面に撮影コマをセットしたと判定したら、Ｙｅｓ側に進み、ステップＳ５０７で給送モータの通電を停止し、次のステップＳ５０８へ進み、このステップＳ５０８で撮影済みのフィルム枚数をインクリメントしてさらに次のステップＳ５０９でカウント表示をＬＣＤの表示画面上に行なってこのフローの処理を終了する。
【００５９】
レリーズ操作がどんどんと行なわれ、写真フィルムの給送が進んで、一連の処理が繰り返されて、ステップＳ５０２で次の撮影コマのコマ数が撮影可能枚数に至ったと判定したら、Ｙｅｓ側に進み、給送モータ１１０３にパルス状の電力を供給し、ステップＳ５１０で写真フィルムの給送をゆっくりと行なう。このようにゆっくり写真フィルムの給送を行なうことでフィルムロックが起きたときのギアへの衝撃を緩和し、ギアの破損を防止している。
【００６０】
このようにゆっくりと写真フィルムの給送を行なってステップＳ５０４でパーフォレーションのカウントを行う。ここでは撮影可能枚数を超えているので、これ以上写真フィルムの巻上げを行なうことができずにタイムオーバが起こる。そうしたらＹｅｓ側に進み、ステップＳ５１１で給送モータの通電を停止する。
【００６１】
次のステップＳ５１２で遊星クラッチの遊星ギアをＢ側に切り替え、巻き戻し処理を行なう。
【００６２】
以上が一コマ送り処理時のＣＰＵ１１０の処理動作である。
【００６３】
このように、ＣＰＵ１１０はケース内の残りが僅かになったことをＤＸコードの中の撮影可能枚数により認識し、ドライバ１１００から給送モータ１１０３に所定の第１の電力よりも低い第２の電力を供給して写真フィルムの給送を行なうことでフィルムロックが起きやすい状態のときにゆっくりと写真フィルムの給送を行ない、フィルムロックが起きたとしても写真フィルムによってギアに加えられる衝撃を緩和する。また、このフィルムロック時のギアへの衝撃を緩和することでギアの破損が防止される。また、前述したようにギアの材質にいままでの材質に比べて柔らかい材質のものを使用しているので、給送時のギアの噛み合いによる騒音の発生、フィルムロック時の衝撃による騒音の発生もいままでに比べて遥かに抑制される。
【００６４】
本実施形態のカメラはプリワインドタイプのものであっても良く、そのときにはパトローネからすべての撮影コマ（以下全コマという）について一旦巻上げを行い、ケース内に一コマずつ巻き戻しながら撮影を行なう。このように撮影に先立って全コマを巻き上げることを予備巻き処理と呼んでいる
図６はその予備巻き処理のフローを示すフローチャートである。
【００６５】
ステップＳ６０１ではフィルム装填室１ｂにパトローネ１０１が装填されたときに、コマ数のカウントを０にリセットし、次のステップＳ６０２で給送モータに所定の第１の電力すなわち直流信号を供給する。フロー中にはモータ通電（ＤＣ）と記載してある。
【００６６】
次のステップＳ６０３でパトローネからＤＸ接点を介してＤＸコードを読み込み、ステップＳ６０４でスプール側にフィルムの巻き取りを自動的に行なう。そして次のステップＳ６０５で巻上げのカウント数０を表示する。
【００６７】
そして次のステップＳ６０６で写真フィルムの撮影コマ数のカウントを行なうためのパーフォレーションのカウントを行ない、次のステップＳ６０７でタイムオーバが起きたかどうかを判定する。ここでは巻上げが開始されたばかりでタイムオーバが起こらないものとしてＮｏ側へ進み、ステップＳ６０８でパーフォレーションの数が一コマ分の８になったかどうかを判定する。パーフォレーションのカウント数が８に達しなかったらＮｏ側へ進み、ステップＳ６０８に戻って引き続き撮影コマの数をカウントするためパーフォレーションのカウントを行なう。
【００６８】
ステップＳ６０８でパーフォレーションのカウント値が８に達したらＹｅｓ側へ進み、ステップＳ６０９で写真フィルムの撮影コマ数をインクリメントし、ステップＳ６１０で次の撮影コマのコマ数を順次ＬＣＤに表示していく。次のステップＳ６１１でコマ数が撮影可能枚数に至っているかどうかを判定し、達していなかったらＮｏ側に進み、ステップＳ６０６に戻って一連の処理を繰り返す。
【００６９】
そして、ステップＳ６０６からステップＳ６１２までの処理を繰り返し、ステップＳ６１１でコマ数が撮影可能枚数にまで達したらステップＳ６１２でパルス状の電力を給送モータに供給する。フロー中には第２の電力を供給するため、パルス状の電力を供給することをモータ通電（パルス）と記載してある。そしてステップＳ６０６に戻ってＳ６０７でタイムオーバが起きたら、ステップＳ６１２で給送モータ１１０３への電力の供給を停止する。その後、遊星クラッチをＢ側に切り替えてステップＳ７１２で給送モータを通電して一コマ分の給送を行なったらこのフローの処理を終える。
【００７０】
以上が予備巻き処理を行なうときの手順である。
【００７１】
このように予備巻き処理が行なわれたときにも、全コマ分の巻上げが終了しようとするときにゆっくりと巻上げが行なわれるので全コマ分の巻き上げ終了時にフィルムロックが起きたとしてもギアへの衝撃が緩和される。またギアへの衝撃が緩和されたことを活用してギアの材質を柔らかいものに変更することができ、このやわらかい材質への変更によってギアの噛み合いによる騒音が低減されるという効果も得られる。
【００７２】
本実施形態の作用を図７に示し、説明する。
【００７３】
図７は、パトローネに巻回されて収容された写真フィルムが撮影可能枚数まで引き出されたときの給送モータの通電状態の変移を示す図である。
【００７４】
図７の上段には引き出された写真フィルムの撮影コマと撮影コマの番号が示され、中段には第１の電力となる直流的な電力と第２の電力となるパルス状の電力の給送モータへの供給状態が示され、下段には送り速度が示されている。図７に示すようにパルス状の電力を給送モータに供給して給送モータの駆動電力を下げた場合には送り速度がゆっくりになってフィルムロックが起きたとしてもギアへの衝撃が緩和される。
【００７５】
また、図７に示すように写真フィルムは３６枚撮りを保証するため、３６コマ目の後に予備の撮影コマＥが設けられていることもある。こういった場合には予備の撮影コマＥを考慮して、撮影コマのコマ数が撮影可能枚数ここでは３６になってその撮影コマのパーフォレーションのカウントが４になったときに第１の電力から第２の電力へ切り替えても良い。
【００７６】
このように写真フィルムの巻上げ終了に至る、そのケース内の残りの最終の部分であることは、図５〜図６で説明したように撮影可能枚数に至ったときに限定されるものではなく、この例のように撮影可能枚数３６枚目の途中からであっても、また撮影可能枚数よりも手前の枚数であっても良い。
【００７７】
このようにケース内の残りの最終部分でパルス状の電力を給送モータに供給すように通電が切り替えられると、給送モータへの供給電力が低減され、写真フィルムがゆっくりと給送されてフィルムロックが起きたとしてもギアへの衝撃が緩和される。また、ギアの材質にいままでに比べて強度的に柔らかいものを使用することによって給送時のギア同士の噛み合いによる騒音の発生も抑制される。
【００７８】
以上説明したようにフィルムロックが最も起こり易い撮影可能枚数近くでの給送時に、給送モータに供給する電力を下げてフィルムの給送を行なうことで、ギアへの衝撃が緩和されてギアの破損が防止される。
【００７９】
図８は別の実施形態を説明するフローチャートである。
【００８０】
図８のフローチャートでは一コマ引き出す巻上げ時に、給送モータへの電力供給が第１の電力から第２の電力へと切り替えられている。
【００８１】
図８のフローチャートには、ＣＰＵ１１０とドライバ１１００とからなる給送制御部が、装填されたケースから写真フィルムを引き出す巻上時において、給送モータ１１０３に所定の第１の電力を供給して給送モータに写真フィルムの一コマ分の巻上げを開始させるとともに、一コマ分の巻上げの開始後に給送モータに第１の電力よりも低い所定の第２の電力を供給して給送モータに一コマ分の写真フィルムの巻上げを行なわさせる場合の処理手順が示されている。
【００８２】
以下、フローチャートを参照して処理手順を説明する。
【００８３】
ステップＳ８０１でパーフォレーションのカウントを行なう準備としてカウンタを０にリセットする。図中には一コマ分の給送を行なうためにカウントされるパーフォーレションのカウント値をリセットするので、送りパーフォ＝０と記載してある。ステップＳ８０２で給送モータに所定の第１の電力を供給するため、直流信号を供給し、給送を開始する。そうしたら次のステップでパーフォレーションのカウントを行い、次のステップでタイムオーバが起きたら、Ｙｅｓ側に進み、モータの通電を停止して巻き戻し処理を行なう。このときには遊星クラッチをＢ側に切替、モータを逆回転させ、巻き戻しを行なう。
【００８４】
また、給送が開始されたばかりとしてステップでＮｏ側に進み、次のステップＳ８０５で電源電圧の電圧チェックを行なう。このステップＳ８０５では２．８５Ｖ以上であるかどうかを判定する。ここで２．８５Ｖ以上であったらＹｅｓ側に進み、ステップＳ８０６で判定根拠となる定数Ａを２に定める。この判定根拠となるＡは、電源電圧の状態に応じて定められるものであり、この実施形態では、バッテリ容量が充分あれば写真フィルムの送り速度が早めになるので切替も早めに行い、バッテリ容量が不足しているときには写真フィルムの送り速度がやや遅めになるので切り替えも遅めに行っている。
【００８５】
ここではＡ＝２でまだバッテリの容量が充分にあるものとして、ステップで２以上であったらＹｅｓ側に進み、所定の第２の電力に供給電力を切り替える。ステップＳ８１０で一コマ分のパーフォレーション数８に至ったかどうかを判定し、その８に至っていたらＹｅｓ側に進みステップＳ８１１で給送モータの通電を停止する。このステップＳ８１０でパーフォレーションの数が８に至っていなかったらステップＳ８０３に戻ってステップＳ８０３〜Ｓ８１０までの処理を繰り返し行なう。
【００８６】
ステップＳ８１２で写真フィルムの撮影済みのフィルム枚数をインクリメントし、次のステップＳ８１２でＬＣＤの表示画面に次の撮影コマ数を表示し、このフローの処理を終える。
【００８７】
ステップＳ８０５で電源電圧が２．８５Ｖより小さかったらＮｏ側へ進み、Ａを３に定める。このときにはバッテリの容量が不足し、給送が緩やかに行なわれているので、Ａ＝３としてゆっくりと切替を行なっている。
【００８８】
以降Ａ＝２のときと同様の処理を行なって写真フィルムの一コマ分を給送する。
【００８９】
図６、図７と同様に給送が進み、ステップＳ８０４でタイムオーバが起きたら、ステップＳ８１４へ進み給送モータへの電力供給を停止して次のステップＳ８１５で巻き戻し処理を行う。
【００９０】
以上が一コマ給送時の処理手順である。
【００９１】
このようにすると、給送モータ１１０３に写真フィルム１０２の一コマ分の給送をゆっくりと行なわせることで、給送モータ１１０３への通電を停止させるときにギアに加えられる衝撃が緩和され、ギアへの衝撃が緩和される。
【００９２】
なお、本実施形態のカメラでは、ケースとしてパトローネを例に挙げたが、フィルムカートリッジ内にロール状の写真フィルムが巻回されたもの、たとえばＡＰＳフィルムのようなものであっても良い。
【図面の簡単な説明】
【００９３】
【図１】本実施形態のカメラの構成を示す図である。
【図２】巻上げ時および巻き戻し時のギアトレインの配列を示す図である。
【図３】カメラ内部に配備された信号処理部の構成を示す図である。
【図４】レリーズ時の処理を示すフローチャートである。
【図５】図４のステップＳ４１０の詳細を示すフローチャートである。
【図６】このカメラがプリワインド方式のカメラでった場合の予備巻き処理を示すフローチャートである。
【図７】本実施形態のカメラの作用を説明する概念図である。
【図８】本発明の別の実施形態を説明する図である。
【符号の説明】
【００９４】
１  カメラ
１ａ    フィルム装填室
１ｂ    スプール側
１ｃ    ファインダ
１０１    パトローネ
１０１１    巻軸
１０２    写真フィルム
１０３    パーフォレーション
１１    フォトリフレクタ
１１０  ＣＰＵ
１１０ａ    ＲＯＭ
１１０ｂ    ＲＡＭ
１１０ｃ    ＥＥＰＲＯＭ
１１０１  アイリスモータ
１１０２  レンズ鏡胴モータ
１１０３  給送モータ
１１１    バッテリ
１１２    検出回路
１１２    ＬＣＤ
１１４    ＤＸコード接点部
１１５    測距部
１１６    測光部
１１７    レリーズ釦
１２    ギアトレイン
１２１    遊星クラッチ
１２２    スプール外縁のギア
１２３    ギア
【図１】
2005274974.tif 000003
【図２】
2005274974.tif 000004
【図３】
2005274974.tif 000005
【図４】
2005274974.tif 000006
【図５】
2005274974.tif 000007
【図６】
2005274974.tif 000008
【図７】
2005274974.tif 000009
【図８】
2005274974.tif 000010